(57)【要約】【課題】ユーザの手間を低減する。【解決手段】筐体と、上記筐体内に配備され、表面に像が形成されてその像を保持する像保持体と、上記像保持体の表面を露光する露光位置と、上記筐体内における像保持体の配備箇所からの距離が露光位置よりも大きい退避位置との間で移動自在な露光器と、上記像保持体を搭載して上記筐体に対して着脱自在な着脱体と、上記着脱体に設けられ、該着脱体が前記筐体に挿入される動きに伴って上記露光器を上記退避位置側から上記露光位置側へと移動させる移動器と、を備える。【選択図】図３
2015022038.tif 000002
【特許請求の範囲】
【請求項１】
筐体と、
前記筐体内に配備され、表面に像が形成されて該像を保持する像保持体と、
前記像保持体の表面を露光する露光位置と、前記筐体内における該像保持体の配備箇所からの距離が該露光位置よりも大きい退避位置との間で移動自在な露光器と、
前記像保持体を搭載して前記筐体に対して着脱自在な着脱体と、
前記着脱体に設けられ、該着脱体が前記筐体に挿入される動きに伴って前記露光器を前記退避位置側から前記露光位置側へと移動させる移動器と、
を備えたことを特徴とする画像形成装置。
【請求項２】
前記露光器が、前記露光位置側から前記退避位置側へ重力で移動し、前記移動器によって該退避位置側から該露光位置側へと移動するものであることを特徴とする請求項１記載の画像形成装置装置。
【請求項３】
前記露光器が、前記着脱体の挿入方向の前方側を支点として該挿入方向の後方側が回転することで前記露光位置と前記退避位置との間で移動自在であることを特徴とする請求項１または２記載の画像形成装置装置。
【請求項４】
前記移動器が、前記着脱体から前記露光器側かつ該着脱体の挿入方向の前方側へと斜めに突き出した部材であり、該着脱体の挿入に伴って該露光器に接触することで該露光器を前記像保持体側へと移動させるものであることを特徴とする請求項１から３のいずれか１項記載の画像形成装置装置。
【請求項５】
前記露光器が、前記着脱体に備えられた基準面に接触することで該露光器を前記露光位置に位置決めする接触部位を有するものであることを特徴とする請求項１から４のいずれか１項記載の画像形成装置装置。
【請求項６】
前記露光器が、
前記像保持体を露光する光の光源と、
前記光源を前記像保持体側へと付勢する付勢部材と、
前記付勢部材を介して前記光源を保持する保持体と、
を備えたものであり、
前記移動器は、前記着脱体が前記筐体に挿入されるのに伴って前記露光器の保持体に接触して前記像保持体側へと移動させるものであることを特徴とする請求項５記載の画像形成装置装置。
【発明の詳細な説明】
【技術分野】
【０００１】
本発明は、画像形成装置に関する。
【背景技術】
【０００２】
従来、ＬＥＤで感光体表面を露光するタイプの画像形成装置が知られている。
【０００３】
例えば特許文献１には、露光位置と退避位置との間で移動可能であり、複数の発光部が配列されて感光ドラムを露光する複数のＬＥＤユニットを備えた画像形成装置が開示されている。
【０００４】
また、例えば特許文献２には、ユーザによるレバー操作によってＬＥＤプリントヘッド（ＬＰＨ）を、感光体ドラムを露光する露光位置まで進出させ、また、ＬＰＨを、この露光位置よりも感光体ドラムから離隔した退避位置に退避させる進退機構を備えた画像形成装置が開示されている。
【０００５】
また、例えば特許文献３には、プロセスカートリッジを引き抜くための取っ手を兼ねた蓋をユーザが開閉操作することによってＬＥＤヘッドアレイを退避位置と照射位置との間で移動させる移動手段を備えた画像形成装置が開示されている。
【先行技術文献】
【特許文献】
【０００６】
【特許文献１】特開２００９−１７５４１６号公報
【特許文献２】特開２０１１−０２０４１４号公報
【特許文献３】特開２０１２−０６３５１５号公報
【発明の概要】
【発明が解決しようとする課題】
【０００７】
本発明は、ユーザの手間を低減することを目的とする。
【課題を解決するための手段】
【０００８】
請求項１に係る画像形成装置は、
筐体と、
上記筐体内に配備され、表面に像が形成されてその像を保持する像保持体と、
上記像保持体の表面を露光する露光位置と、上記筐体内における像保持体の配備箇所からの距離が露光位置よりも大きい退避位置との間で移動自在な露光器と、
上記像保持体を搭載して上記筐体に対して着脱自在な着脱体と、
上記着脱体に設けられ、該着脱体が前記筐体に挿入される動きに伴って上記露光器を上記退避位置側から上記露光位置側へと移動させる移動器と、
を備えたことを特徴とする。
【０００９】
請求項２に係る画像形成装置は、
上記露光器が、上記露光位置側から上記退避位置側へ重力で移動し、上記移動器によって退避位置側から露光位置側へと移動するものであることを特徴とする。
【００１０】
請求項３に係る画像形成装置は、
上記露光器が、上記着脱体の挿入方向の前方側を支点としてその挿入方向の後方側が回転することで上記露光位置と上記退避位置との間で移動自在であることを特徴とする。
【００１１】
請求項４に係る画像形成装置は、
上記移動器が、上記着脱体から上記露光器側かつ着脱体の挿入方向の前方側へと斜めに突き出した部材であり、着脱体の挿入に伴って露光器に接触することで露光器を上記像保持体側へと移動させるものであることを特徴とする。
【００１２】
請求項５に係る画像形成装置は、
上記露光器が、上記着脱体に備えられた基準面に接触することで露光器を上記露光位置に位置決めする接触部位を有するものであることを特徴とする。
【００１３】
請求項６に係る画像形成装置は、
上記露光器が、
上記像保持体を露光する光の光源と、
上記光源を上記像保持体側へと付勢する付勢部材と、
上記付勢部材を介して上記光源を保持する保持体と、
を備えたものであり、
上記移動器は、上記着脱体が上記筐体に挿入されるのに伴って上記露光器の保持体に接触して上記像保持体側へと移動させるものであることを特徴とする。
【発明の効果】
【００１４】
請求項１に係る画像形成装置によれば、本構成を有しない場合に較べてユーザの手間が低減される。
【００１５】
請求項２に係る画像形成装置によれば、露光器を退避位置へ移動させる機械機構などが不要である。
【００１６】
請求項３に係る画像形成装置によれば、本構成を有しない場合に較べて露光器の移動が容易である。
【００１７】
請求項４に係る画像形成装置によれば、本構成を有しない場合に較べて移動器の構造が簡素である。
【００１８】
請求項５に係る画像形成装置によれば、本構成を有しない場合に較べて位置決めが容易である。
【００１９】
請求項６に係る画像形成装置によれば、露光器の位置決め精度より移動器の移動精度が低くて良い。
【図面の簡単な説明】
【００２０】
【図１】画像形成装置の一実施形態に相当するプリンタの概略構成図である。
【図２】ＬＰＨの構造を示した断面図である。
【図３】ＬＰＨが退避位置に在る状態を示す断面図である。
【図４】ＬＰＨが退避位置から露光位置に向かう途中に在る第１の中間状態を示す断面図である。
【図５】ＬＰＨが退避位置から露光位置に向かう途中に在る第２の中間状態を示す断面図である。
【図６】ＬＰＨが露光位置に在る状態を示す断面図である。
【図７】ＬＰＨのフロント側における、感光体ドラムの回転方向に対する位置決めを示す図である。
【図８】ＬＰＨのリア側における、感光体ドラムの回転方向に対する位置決めを示す図である。
【図９】感光体ドラムの軸方向に対するＬＰＨの位置決めを示す図である。
【発明を実施するための形態】
【００２１】
本発明の画像形成装置に対する具体的な実施形態を、以下図面を参照して説明する。
【００２２】
図１は、画像形成装置の一実施形態に相当するプリンタの概略構成図である。
【００２３】
図１に示すプリンタ１は、所謂タンデム型のカラープリンタであり、各色の画像データに対応して画像形成を行う画像形成プロセス部１０と、プリンタ１全体の動作を制御する制御部３０と、例えばパーソナルコンピュータ（ＰＣ）３や画像読取装置４等といった外部装置に接続されてこれらから受信される画像データに対して画像処理を施す画像処理部３５と、各部に電力を供給する主電源３６とを備えている。これら画像形成プロセス部１０、制御部３０、画像処理部３５、および主電源３６は、筐体４２内に組み込まれている。
【００２４】
筐体４２は、主にプリンタ１の外観を形成しているプラスチック製のカバー部分と、主にプリンタ１の骨組みとなってプリンタ１の全体構造を保持しているフレーム部分とを有している。この筐体４２の一部は開閉自在となっていて、この部分がユーザ操作などによって開くことで、プリンタ１の内部を露出させる開口が図１の手前側（フロント側）に形成される。そして、画像形成プロセス部１０の一部はメンテナンスなどの利便のために、この開口を介して筐体４２に対して着脱自在となっている。具体的な着脱部分の例については後で詳述する。
【００２５】
画像形成プロセス部１０には、一定の間隔を置いて並列的に配置された４つの画像形成ユニット１１Ｙ、１１Ｍ、１１Ｃ、１１Ｋ（以下、総称して単に「画像形成ユニット１１」とも称する）が備えられている。各画像形成ユニット１１は、表面に静電潜像やトナー像が形成される感光体ドラム１２と、感光体ドラム１２の表面を帯電させる帯電器１３と、感光体ドラム１２の表面を画像データに基づいて露光するＬＥＤプリントヘッド（ＬＰＨ）１４と、感光体ドラム１２上に形成された静電潜像を現像する現像器１５と、転写後の感光体ドラム１２表面を清掃するクリーナ１６を備えている。なお、本実施形態における感光体ドラム１２は、図１では図示が省略された回転軸を備え、その軸方向がプリンタ１のフロント側（図中手前側）からリア側（図中奥側）に向くように配置されている。また、ＬＰＨ１４は、後で詳述するように金属製の保持体に保持されてＬＰＨユニット７０となっている。
【００２６】
感光体ドラム１２が、本発明にいう像保持体の一例に相当し、ＬＰＨユニット７０が本発明にいう露光器の一例に相当する。
【００２７】
ここで、各画像形成ユニット１１において、感光体ドラム１２、帯電器１３およびクリーナ１６は、一体化されたモジュール（以下、感光体モジュールＰＭと称する）となっている。そして、感光体モジュールＰＭはプリンタ１の筐体４２に対して着脱自在で、感光体ドラム１２の寿命等に応じて交換される。なお、感光体モジュールＰＭは、帯電器１３やクリーナ１６を含まない感光体ドラム１２のみのモジュールを採用してもよいし、帯電器１３やクリーナ１６に加えさらに現像器１５を一体化したモジュールを採用してもよい。すなわち、感光体ドラム１２を含んだものであれば、如何なる構成要素との組み合わせによっても感光体モジュールＰＭとなり得るが、本実施形態では、感光体モジュールＰＭとＬＰＨ１４とを別体とした構成を前提としている。この感光体モジュールＰＭが、本発明にいう着脱体の一例に相当する。
【００２８】
ＬＰＨ１４を含んだＬＰＨユニット７０は、プリンタ１に対する感光体モジュールＰＭの着脱に際し、感光体ドラム１２を露光する露光位置への進出と、この露光位置よりも感光体ドラム１２から離隔した退避位置への退避とを行う。そして、感光体モジュールＰＭには、後で詳述するように、プリンタ１への挿入時にＬＰＨ１４を引き込んで露光位置への進出させる部材が組み込まれている。なお、感光体モジュールＰＭの着脱時には感光体ドラム１２が移動するので、上述した退避位置を厳密に定義するならば、感光体ドラム１２の配備位置を基準として次のような定義となる。即ち、プリンタ１の筐体４２内における感光体ドラム１２の配備位置からＬＰＨユニット７０の露光位置までの距離よりも、感光体ドラム１２の配備位置からＬＰＨユニット７０の退避位置までの距離の方が遠いということになる。但し、配備位置を基準としたこのような厳密な表現は冗長であるので、以下の説明では、その厳密な表現と同様の意味として「感光体ドラム１２から遠い」というような簡略な表現を用いる場合がある
各画像形成ユニット１１は、現像器１５に収納されるトナーを除いて、同じ構成を有している。そして、各画像形成ユニット１１は、それぞれがイエロー（Ｙ）、マゼンタ（Ｍ）、シアン（Ｃ）、黒（Ｋ）のトナー像を形成する。
【００２９】
さらに、画像形成プロセス部１０は、各画像形成ユニット１１の感光体ドラム１２にて形成された各色トナー像が多重転写される中間転写ベルト２０と、各画像形成ユニット１１による各色トナー像を中間転写ベルト２０に順次転写させる一次転写ロール２１と、中間転写ベルト２０上に転写された重畳トナー像を記録材である用紙に一括転写させる二次転写ロール２２と、二次転写された画像を用紙上に定着させる定着器４５を備えている。
【００３０】
このプリンタ１において、画像形成プロセス部１０は、制御部３０から供給される各種の制御信号に基づいて画像形成動作を行う。すなわち、ＰＣ３や画像読取装置４から入力された画像データは、制御部３０による制御の下で画像処理部３５によって画像処理が施され、不図示のインターフェースを介して各画像形成ユニット１１に供給される。そして、例えば黒（Ｋ）色の画像形成ユニット１１Ｋでは、感光体ドラム１２が矢印Ａ方向に回転しながら帯電器１３によって、予め決められた電位に帯電させられ、画像処理部３５から送信された画像データのうち黒色成分の画像を表したデータに基づいて発光するＬＰＨ１４により露光される。これにより、感光体ドラム１２上には、黒（Ｋ）色画像に関する静電潜像が形成される。そして、感光体ドラム１２上に形成された静電潜像は現像器１５により現像され、感光体ドラム１２上には黒（Ｋ）色のトナー像が形成される。同様に、他の色の画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００３１】
各画像形成ユニット１１で形成された各色トナー像は、矢印Ｂ方向に移動する中間転写ベルト２０上に、一次転写ロール２１により順次静電吸引されて、各色トナーが重畳された合成トナー像が形成される。中間転写ベルト２０上の合成トナー像は、中間転写ベルト２０の移動に伴って二次転写ロール２２が配置された領域（二次転写部Ｔ）に搬送される。また、中間転写ベルト２０による合成トナー像の搬送タイミングに合わせて用紙が用紙保持部４０から二次転写部Ｔに供給される。そして、二次転写部Ｔにて二次転写ロール２２により形成される転写電界により、合成トナー像は搬送されてきた用紙上に一括して静電転写される。
【００３２】
その後、合成トナー像が静電転写された用紙は、中間転写ベルト２０から剥離され、定着器４５まで搬送される。定着器４５に搬送された用紙上の合成トナー像は、定着器４５によって熱および圧力による定着処理を受けて用紙上に定着される。そして、定着画像が形成された用紙は、プリンタ１の排出部に設けられた排紙積載部４１に搬送される。
【００３３】
一方、二次転写後に中間転写ベルト２０に付着しているトナー（転写残トナー）は、二次転写の終了後に中間転写ベルト２０表面からベルトクリーナ２５によって除去され、次の画像形成サイクルに備える。このようにして、プリンタ１での画像形成がプリント枚数分のサイクルだけ繰り返して実行される。
【００３４】
図２は、ＬＰＨ１４の構造を示した断面図である。
【００３５】
このＬＰＨ１４は、図１に示すプリンタ１において感光体ドラム１２の下方に配置され、下方から感光体ドラム１２を露光する。
【００３６】
図２に示すように、ＬＰＨ１４は、ハウジング６１と、ＬＥＤアレイ６３と、ＬＥＤ回路基板６２と、ロッドレンズアレイ６４と、ホルダ６５を備えている。
【００３７】
ハウジング６１は、アルミニウム、ＳＵＳ等の金属のブロックまたは板金で形成され、ＬＥＤ回路基板６２を支持している。
【００３８】
ＬＥＤ回路基板６２には、ＬＥＤアレイ６３やＬＥＤアレイ６３を駆動する信号生成回路等が搭載されている。
【００３９】
ロッドレンズアレイ６４は、ＬＥＤアレイ６３からの光を感光体ドラム１２表面に結像させるものであり、感光体ドラム１２の軸方向に沿って配置されるとともに、感光体ドラム１２の回転方向に幅を有して形成されている。また、ロッドレンズアレイ６４には、正立等倍実像を形成する屈折率分布型レンズが複数並べられている。
【００４０】
ホルダ６５は、長尺状に形成されるとともに感光体ドラム１２の軸方向に沿って配置されていて、ハウジング６１およびロッドレンズアレイ６４を支持するとともにＬＥＤアレイ６３を外部から遮蔽している。これにより、ＬＥＤアレイ６３には外部からゴミが付着し難くなっている。また、ホルダ６５は、ＬＥＤアレイ６３の発光点とロッドレンズアレイ６４の焦点面とが一致するようにロッドレンズアレイ６４を支持している。
【００４１】
ここで、上述した感光体モジュールＰＭの着脱とＬＰＨ１４の移動について詳細に説明する。
【００４２】
図３は、ＬＰＨが退避位置に在る状態を示す断面図であり、図４、５は、ＬＰＨが退避位置から露光位置に向かう途中に在る中間状態を示す断面図であり、図６は、ＬＰＨが露光位置に在る状態を示す断面図である。
【００４３】
これらの図３〜６では、図の右側がプリンタのリア側であって感光体モジュールＰＭの挿入方向の前方側であり、図の左側がプリンタのフロント側であって挿入方向の後方側である。
【００４４】
感光体モジュールＰＭにはハウジング１０１内に感光体ドラム１２が搭載されていて、その感光体ドラム１２をリア側とフロント側から挟むようにスリーブ１０２が保持している。フロント側のスリーブ１０２には感光体ドラム１２の回転軸と軸受けが組み込まれており、リア側のスリーブ１０２は、感光体モジュールＰＭがプリンタ１から抜き出されたときに感光体ドラム１２のリア側を図３に示すように保持する。ハウジング１０１には引き込みアーム１１０が設けられていて、感光体モジュールＰＭの挿入方向の前方側、かつＬＰＨユニット７０の側を向いてハウジング１０１から斜めに突き出している。引き込みアーム１１０はハウジング１０１に固定された部材であって傾斜面１１１を有している。この引き込みアーム１１０が、本発明にいう移動器の一例に相当し、本実施形態では、ハウジング１０１から斜めに部材が突き出した簡素な構造となっている。移動器がこのように簡素な構造であると、故障などを生じにくくて丈夫で長寿命であるとともに製造も容易である。
【００４５】
プリンタ１には上述したように金属製のフレーム部分４３が組まれていて、このフレーム部分４３のリア側から感光体ドラム１２に向けて、感光体ドラム１２を回転駆動する駆動軸４６が突き出している。フレーム部分４３のフロント側からは、更にフロント側に向けて位置決めボス４４が突き出している。この位置決めボス４４がハウジング１０１の位置決め穴１０３と嵌り合うことでフレーム部分４３に対する感光体モジュールＰＭの位置が決まる。
【００４６】
ＬＰＨユニット７０は、ＬＰＨ１４と保持体６６とを備えており、保持体６６内には、ＬＰＨ１４を感光体ドラム１２側へと押し出す板バネ６７も配備されている。保持体６６が、本発明にいう保持体の一例に相当し、板バネ６７が、本発明にいう付勢部材の一例に相当し、ＬＰＨ１４が、本発明にいう光源の一例に相当する。
【００４７】
図３に示す状態では、ＬＰＨユニット７０は支持台４７に支持されていて退避位置に在る。図示は省略されているが、この支持台４７は筐体のフレーム部分４３に固定されている。また、支持台４７は、ＬＰＨユニット７０を図の手前側と奥側とで挟んで図の上方へと延びた延在部４８を有する。ＬＰＨユニット７０のリア側の端部はフレーム部分４３に引っかかっており、ここを支点７３としてＬＰＨユニット７０は図の上下方向へと回転自在となっている。このように回転するときにＬＰＨユニット７０は支持台４７の延在部４８によって案内される。
【００４８】
ＬＰＨユニット７０のＬＰＨ１４は、本発明にいう接触部位の一例に相当するデータム７１，７２をフロント側とリア側の２カ所に有している。そして、感光体モジュールＰＭのスリーブ１０２は、本発明にいう基準面の一例に相当するＬＰＨ受け面１０４，１０５をフロント側とリア側の２カ所に有している。
【００４９】
感光体モジュールＰＭは、感光体ドラム１２の寿命による交換などに際してユーザの操作によって、プリンタ１から抜き出され、新たにプリンタ１に挿入される。感光体モジュールＰＭの着脱に際しては、図示が省略された案内レールによって感光体モジュールＰＭが案内される。
【００５０】
感光体モジュールＰＭがプリンタ１に挿入されると、ハウジング１０１から突き出した引き込みアーム１１０の先端が、図３に示すようにＬＰＨユニット７０の保持体６６に接触し、ＬＰＨユニット７０は引き込みアーム１１０の傾斜面１１１に乗り上げる。
【００５１】
図３に示す状態から感光体モジュールＰＭが押し込まれると、図４に示すようにＬＰＨユニット７０は引き込みアーム１１０の傾斜面１１１に沿ってフロント側が持ち上がり、支点７３を中心に回転する。また、駆動軸４６は感光体ドラム１２に接合する。図４に示すように、感光体モジュールＰＭに設けられた引き込みアーム１１０は、感光体モジュールＰＭがプリンタ１に挿入される動きに伴ってＬＰＨユニット７０を退避位置側から露光位置側へと移動させる。このためユーザは、感光体モジュールＰＭを挿入する操作以外には、ＬＰＨユニット７０を露光位置に移動させるための操作が不要であり、手間が少ない。
【００５２】
図４に示す状態から感光体モジュールＰＭが更に押し込まれると、図５に示すように、フロント側ではＬＰＨユニット７０が引き込みアーム１１０の根本まで引き上げられる。また、筐体のフレーム部分４３から突き出した位置決めボス４４がハウジング１０１の位置決め穴１０３に嵌り込むことで感光体モジュールＰＭが筐体のフレーム部分４３に対して位置決めされる。一方、リア側ではＬＰＨユニット７０のデータム７２がスリーブ１０２に接触し、板バネ６７に対抗してＬＰＨ１４が保持体６６の内部に押し込まれる。また、駆動軸４６が感光体ドラム１２内に進入することで感光体ドラム１２が位置決めされる。
【００５３】
感光体モジュールＰＭがプリンタ１に対して最後まで挿入されると、図６に示すようにＬＰＨユニット７０のフロント側とリア側に設けられた各データム７１，７２が、感光体モジュールＰＭのフロント側とリア側に設けられた各ＬＰＨ受け面１０４，１０５に接触した状態となる。このようにＬＰＨユニット７０の特定部位が感光体モジュールＰＭの特定面に接触するという簡易な方法であるが、ＬＰＨ１４と感光体ドラム１２との距離は露光に適した距離となり、ＬＰＨユニット７０は精度良く露光位置に位置決めされることになる。また、露光位置への位置決めがこのように高精度であるのに対し、引き込みアーム１１０によるＬＰＨユニット７０の移動精度は低いが、板バネ６７に対抗してＬＰＨ１４が保持体６６の内部に押し込まれていることにより板バネ６７が精度の差を吸収する役目を果たしている。
【００５４】
感光体モジュールＰＭがプリンタ１から抜き出される際には、図６に示す状態から、図５，４，３に示す状態をこの順に経てＬＰＨユニット７０は退避位置へと移動する。このときＬＰＨユニット７０は、引き込みアーム１１０の斜面に沿って移動するとともに、支持台４７の延在部４８に案内されて移動する。このような移動の力は重力であり、本実施形態では、ＬＰＨユニット７０を退避位置へと移動させる力を生むための機械機構や付勢部材などは特段用いられていない。
【００５５】
露光位置におけるＬＰＨ１４の位置決めについて更に説明する。
【００５６】
図７は、ＬＰＨ１４のフロント側における、感光体ドラム１２の回転方向に対する位置決めを示す図である。
【００５７】
この図７には、ＬＰＨユニット７０および感光体モジュールＰＭをフロント側から見た様子が示されている。
【００５８】
ＬＰＨユニット７０のＬＰＨ１４が有するフロント側のデータム７１は、上述したようにスリーブ１０２のＬＰＨ受け面１０４に接触するとともに、ハウジング１０１に設けられたＬＰＨ受け面１０６にも接触している。このハウジング１０１のＬＰＨ受け面１０６に接触することでＬＰＨ１４のフロント側は、感光体ドラム１２の回転方向について高精度に位置決めされる事となる。
【００５９】
図８は、ＬＰＨ１４のリア側における、感光体ドラム１２の回転方向に対する位置決めを示す図である。
【００６０】
この図８には、筐体のフレーム部分のリア側に固定されている位置決め部材４９が示されている。
【００６１】
ＬＰＨ１４が有するリア側のデータム７２は、この位置決め部材４９に挟まれることで、バネ４９ａに押されて受け面４９ｂに接触する。これによってＬＰＨ１４のリア側は、感光体ドラム１２の回転方向について高精度に位置決めされる事となる。
【００６２】
図９は、感光体ドラム１２の軸方向に対するＬＰＨ１４の位置決めを示す図である。
【００６３】
この図９には、ＬＰＨユニット７０の保持体６６内に固定された位置決め部材６８が示されている。この位置決め部材６８に設けられた溝６８ａに、ＬＰＨ１４が有するリア側のデータム７２の縁７２ａが嵌り込んでいることにより、感光体ドラム１２の軸方向に対してＬＰＨ１４が位置決めされている。ＬＰＨ１４は、上述した板バネ６７の変形によって許される範囲で保持体６６に対して変位するが、その許された変位の範囲内では常にデータム７２の縁７２ａは位置決め部材６８の溝６８ａに嵌り込んでいる。なお、ＬＰＨユニット７０の保持体６６は、上述した支点７３で感光体ドラム１２の軸方向に対して位置決めされている。
【００６４】
以上で実施形態の説明を終了する。
【００６５】
なお、上記説明では、本発明の画像形成装置の一実施形態としてタンデム型のカラープリンタが示されているが、本発明の画像形成装置は、レボルバ型のカラープリンタやモノクロプリンタであってもよい。また、本発明の画像形成装置は、プリンタ以外にも、コピー機やファクシミリや複合機に応用されてもよい。
【００６６】
また、上記説明では、本発明にいう移動器の一例として、ハウジング１０１に固定された引き込みアーム１１０が示されているが、本発明にいう移動器は、非固定の動作機構であっても良い。
【符号の説明】
【００６７】
１    プリンタ
１１    画像形成ユニット
１２    感光体ドラム
１４    ＬＥＤプリントヘッド（ＬＰＨ）
４２    筐体
４３    フレーム部分
７０    ＬＰＨユニット
７３    支点
７１，７２    データム
ＰＭ    感光体モジュール
１０４，１０５    ＬＰＨ受け面
１１０    引き込みアーム
【図１】
2015022038.tif 000003
【図２】
2015022038.tif 000004
【図３】
2015022038.tif 000005
【図４】
2015022038.tif 000006
【図５】
2015022038.tif 000007
【図６】
2015022038.tif 000008
【図７】
2015022038.tif 000009
【図８】
2015022038.tif 000010
【図９】
2015022038.tif 000011